(57)【特許請求の範囲】
【請求項１】
リサイクル使用される容器本体(1) に非接着性のシュリンクラベル又はストレッチラベルからなる非接着性ラベル(2) が装着された容器であって、該非接着性ラベル(2) の外面には、該非接着性ラベル(2) より突出部(A) が突出すべく表示部材としてのシート片(3) が接着され、且つ、該シート片(3) の前記突出部(A) は非接着性であり、しかも該シート片(3) は、容器本体(1) から前記非接着性ラベル(2) が離脱した際、該非接着性ラベル(2) とともに容器本体(1) から離脱する構成にしてなり、シート片(3) はその裏面に粘着剤の塗布により形成された接着部(3a)を有し、容器本体(1) に非接着性ラベル(2) が装着された後において該非接着性ラベル(2) の外面にシート片(3) がその接着部(3a)により接着され、前記容器本体(1) の前記シート片(3) が設けられた側には、奥行方向に後退し且つ前記非接着性ラベル(2) で覆われていない非掩覆後退部(B)が形成され、しかも前記シート片(3) の突出部(A) が、該非掩覆後退部(B) の少なくとも一部を正面視覆い且つ略鉛直方向に起立してなり、容器本体(1) は胴部(1a)と該胴部(1a)の上端から上方に向けて先細り形状に形成された肩部(1b)とを有し、該肩部(1b)が前記非掩覆後退部(B)であることを特徴とする容器。
【請求項２】
シート片(3) の横方向長さは容器本体(1) の胴部(1a)の正面視横方向長さより短い請求項１記載の容器。
【発明の詳細な説明】
【０００１】
【発明の属する技術分野】
本発明は容器本体に非接着性ラベルが装着されてなる容器の改良に関し、更に詳しくは、リサイクルに適した容器に関する。
【０００２】
【従来の技術】
従来、飲料用の容器として、ガラスやプラスチック製の容器本体に、被収容物に関する説明や宣伝広告等を表示したラベルが装着された容器が使用されていた。
特に、容器本体がポリエチレンテレフタレート（以下「ＰＥＴ」と略す）により形成された容器（通称「ＰＥＴボトル」）は、軽量且つリサイクル可能であるという観点から、飲料用容器として多用されている。
また、ラベルとしては、容器本体をリサイクルする場合に容器本体から容易に離脱させるべく、熱収縮性を有するシュリンクラベルや弾性伸縮性を有するストレッチラベル等の非接着性ラベル（接着剤等で接着することなく装着されるラベル）が利用されている。
例えば、図７に示すように、ＰＥＴ製の容器本体１’にシュリンクラベル等の非接着性ラベル２’が装着され、該非接着性ラベル２’に被収容物の説明や商標等の表示が印刷されている。
【０００３】
【発明が解決しようとする課題】
しかしながら、かかる容器においては、被収容物に関する説明等は前記非接着性ラベル２’に表示できるのみである。
特に、かかる容器が商品として店頭等に陳列される場合、一般的には容器の正面が消費者の目に触れるため、該非接着性ラベルに印刷された表示のみでは、商品としての宣伝効果に限界がある。
このような宣伝効果を高める方法として、被収容物に関する表示を印刷したタックシールを容器本体１に接着する方法が考えられるが、容器本体１をリサイクルする際、該タックシールを剥離する必要があり、作業が煩雑である。
【０００４】
本発明は、上記問題点に鑑み、商品としての宣伝力に優れ、しかもリサイクル容易な容器を提供することを課題とする。
【０００５】
【課題を解決するための手段】
本発明は上記課題を解決するためになされたもので、本発明に係る容器は、リサイクル使用される容器本体１に非接着性のシュリンクラベル又はストレッチラベルからなる非接着性ラベル２が装着された容器であって、該非接着性ラベル２の外面には、該非接着性ラベル２より突出部Ａが突出すべく表示部材としてのシート片３が接着され、且つ、該シート片３の前記突出部Ａは非接着性であり、しかも該シート片３は、容器本体１から前記非接着性ラベル２が離脱した際、該非接着性ラベル２とともに容器本体１から離脱する構成にしてなり、シート片３はその裏面に粘着剤の塗布により形成された接着部３ａを有し、容器本体１に非接着性ラベル２が装着された後において該非接着性ラベル２の外面にシート片３がその接着部３ａにより接着され、前記容器本体１の前記シート片３が設けられた側には、奥行方向に後退し且つ前記非接着性ラベル２で覆われていない非掩覆後退部Ｂが形成され、しかも前記シート片３の突出部Ａが、該非掩覆後退部Ｂの少なくとも一部を正面視覆い且つ略鉛直方向に起立してなり、容器本体１は胴部１ａと該胴部１ａの上端から上方に向けて先細り形状に形成された肩部１ｂとを有し、該肩部１ｂが前記非掩覆後退部Ｂであることを特徴とする。
【０００６】
本発明の容器は、表示部材としてのシート片３が非接着性ラベル２からその突出部Ａを突出させるように非接着ラベル２の外面に接着されているため、非接着性ラベル２に加え、該シート片３にも商品名等を表示することができ、表示面積が拡大する。また、シート片３が非接着性ラベル２から突出するため、斬新であり、目立つ。更に、該シート片３の突出部Ａが非接着性であって、容器本体１をリサイクルすべく、容器本体１から非接着性ラベル２を離脱させた際、該非接着性ラべル２とともにシート片３も容器本体１から離脱する構成にしてなるため、容器本体１から非接着性ラベル２とシート片３とを容易に分離することができる。
【０００７】
また、前記シート片３は、非接着性ラベル２の外面に接着されてなるため、前記非接着性ラベル２を容器本体１に接着した後にシート片３を設けることができ、しかも流通過程において該シート片３が容器本体１から離脱するおそれが少ない。しかも、突出部Ａは非接着性であるため、容器本体１や周囲の他物に接着しない。
【０００８】
また、容器本体１のシート片３が設けられた側に形成された非掩覆後退部Ｂは奥行方向に後退、すなわち容器本体１の前面位置よりも前後方向奥行側に位置し、しかもシート片３の突出部Ａが容器本体１の非掩覆後退部Ｂの少なくとも一部を正面視覆い且つ略鉛直方向に起立してなるため、シート片３の一部（突出部Ａ）が容器本体１から離間することにより、一層目立つとともに、表示面積がより拡大する。
【０００９】
【発明の実施の形態】
以下、本発明の実施の形態について、図面を参酌しつつ説明する。
【００１０】
＜第一実施形態＞
本実施形態の容器は、図１に示すように、飲料や化粧剤等の被収容物が収容されたＰＥＴ製の容器本体１と、該容器本体１に外嵌装着された非接着性ラベルとしてのシュリンクラベル２と、該シュリンクラベル２に接着された表示部材としてのシート片３とを具備してなる。
なお、容器本体１の材質としては、前記ＰＥＴの他、ガラス等の材質が使用できるが、特にＰＥＴ等のリサイクル使用されるものに効果的である。
このリサイクルに際しては、容器本体１に装着された非接着性ラベル２及び該非接着性ラベル２に接着された表示部材３を容器本体１から分離する必要があるため、非接着性ラベル２及び表示部材３は容器本体１に接着されないよう構成することが好ましいからである。
【００１１】
前記容器本体１は、胴部1aが平面視略正方形状の有底筒状に形成され、肩部1bが胴部1aの上端から上方に向けて先細り形状に形成されている。
従って、正面視胴部1aの前面位置よりも、肩部1bの前面は奥行方向に後退している。つまり、肩部1bの前面は、胴部1aの前面位置よりも前後方向奥行側に位置する。
ここでいう正面視とは、容器を商品として店頭等に陳列した際に、正面側から見た場合である。
【００１２】
前記シュリンクラベル２は、スチレンブタジエン共重合体やポリエステル等よりなる熱収縮性フィルムの両側端部同士が接合されることにより筒状に形成されてなり、加熱収縮されることにより容器本体１の胴部1aの上方部から肩部1bにかけて外嵌装着されている。
そして、正面視肩部1bの一部はシュリンクラベル２によって覆われずに容器本体１が露出しており、該露出した部分が非掩覆後退部Ｂを形成している。
該非掩覆後退部Ｂは、胴部1aよりも正面側から見て奥行方向へ後退している。つまり、非掩覆後退部Ｂは、正面視胴部1aの前面位置より前後方向奥行き側に位置する。
該シュリンクラベル２の内面側（容器本体１と接する側）には被収容物に関する説明や意匠、商標等が印刷されている。
【００１３】
前記シート片３は、図２（イ）（ロ）に示すように、表面に宣伝広告等の印刷層12を有する略長方形状の基材フィルム９と、該基材フィルム９の裏面全体に形成された粘着剤層10とからなり、該粘着剤層10の下方部１／５〜１／３程度が前記シュリンクラベル２に接着するための接着部3a（図２（イ）にクロスハッチングで示す部分）で、上方部４／５〜２／３程度が非接着性の非接着部3bに形成されている。
該非接着部3bは、前記粘着剤層10の表面に非接着性塗膜11が形成されてなる。
【００１４】
該シート片３の大きさは、図１に示すように、縦方向長さが肩部1bの正面視縦方向長さよりも接着部3a（図１にクロスハッチングで示す部分）の分長く、横方向長さが胴部1aの正面視横方向長さと略一致する。
該シート片３の大きさは、特に限定されないが、横方向長さは容器本体１の胴部1aの正面視横方向長さより短く形成し、該シート片３が容器本体１の平面視外形から突出しないよう構成するのが好ましい。
また、基材フィルム９の材質は、特に限定されず、合成紙やプラスチック製フィルム、金属箔により形成されてなる構成であってもよい。
更に、シート片３の形状は、特に限定されず、楕円形や丸型、扇型等であってもよい。
【００１５】
前記シート片３は、前記胴部1aの上縁部に対応するシュリンクラベル２の外面に、該シート片３の前記接着部3aにおいて接着され、該シュリンクラベル２から上方に突出している。
すなわち、シート片３が、該シート片３の接着部3aと非接着部3bとの境目13が前記容器本体１の胴部1aと肩部1bとの境目と一致するように取り付けられることにより、裏面が非接着部3bに形成されている部分全体が、突出部Ａとしてシュリンクラベル２から突出する。
【００１６】
このとき、シート片３の取り付け位置（胴部1aの前面）より肩部1b前面が奥行き方向に後退して位置し、且つシート片３は略鉛直方向に起立しているため、突出部Ａは肩部1bの外郭に位置し、容器本体１と離間している。
また、該突出部Ａは、容器本体１の前記非掩覆後退部Ｂを正面視略覆い且つ肩部1bの正面視外形を略隠している。
【００１７】
なお、該シート片３の起立方向は、シート片３に印刷された表示の見やすさの観点より、鉛直方向であることが好ましいが、表示の見やすさに影響を及ぼさない程度で容器本体１の外側に傾いていても、逆に容器本体１側に傾いていてもよい。
要は、シート片３が目立って、且つその表示が消費者の目に触れやすければよい。
【００１８】
また、該シート片３が接着されることにより、シュリンクラベル２の一部はシート片３によって覆われるが、覆われる面積は小さいため、容器の表示面積に影響を及ぼさない程度にできる。
更に、シート片３の取付け位置は、特に限定されず、前記境目13が、胴部1aと肩部1bとの境目より下方に位置して、裏面が非接着部3bに形成されている部分の一部が突出部Ａとしてシュリンクラベル２から突出するような構成であってもよい。
【００１９】
前記突出部Ａは、非接着性であり、容器が流通過程に置かれた場合や店頭に陳列された場合、容器本体１をリサイクルに供する場合等に、シート片が傾く等して容器本体１や周囲の他物に接触しても容器本体１等に接着するおそれはなく、また、ほこり等が付着して外観が汚くなるおそれも少ない。
【００２０】
次に、上記のような構成からなる容器を製造する場合について説明する。
まず、矩形シート状の熱収縮性フィルムにグラビア印刷等の公知の印刷方法によって印刷をした後、該熱収縮性フィルムを印刷層が内側になるよう筒状に形成し、重なり合う両端部を接着してシュリンクラベル２を形成する。
そして、筒状に形成した前記シュリンクラベル２を、開口して容器本体１の上方から外嵌し、熱風等で加熱収縮させて容器本体１の胴部1aから肩部1bにかけて装着する。
なお、シュリンクラベル２の装着方法は、前記方法に限定されず、シート状の熱収縮性フィルムを容器本体１の胴部1aに巻き付け、重なりあう端部同士を接着した後、加熱収縮させて装着してもよい。
【００２１】
そして、シュリンクラベル２が装着された後の容器本体１内に、例えば飲料、化粧剤等の被収容物を開口部４から充填し、該開口部４に蓋体５を嵌着して密封する。
更に、容器本体１内の被収容物が殺菌を要するものである場合には、低温加熱殺菌処理を行なう。
この低温加熱殺菌処理とは、容器の外面から温度約７０〜９０℃の温水シャワーを５〜４０分程度かけ、内部の飲料等を加熱殺菌する処理である。
なお、シュリンクラベル２は、被収容物を充填し、密封した後に装着してもよい。
【００２２】
その後、前記胴部1aの上縁部に対応するシュリンクラベル２の外面に、前記シート片３の接着部3aを合わせて接着することにより、シュリンクラベル２にシート片３を取り付け、容器が完成する。
このように、容器製造工程の最終段階でシート片３を取り付けるため、キャンペーン品等シート片３を取り付けたい容器にのみシート片３を取り付けることができる。
【００２３】
なお、前記シート片３は、表面に宣伝広告等の印刷が施された基材フィルム９の裏面全体に粘着剤を塗布して粘着剤層10を形成した後、該粘着剤層10の表面に非接着性塗膜11を形成することにより非接着性の非接着部3bを形成して製造される。
また、前記印刷は、グラビア印刷、オフセット印刷、スクリーン印刷、凸版輪転印刷等の公知の印刷方法により行なわれる。
【００２４】
前記方法で製造された容器は、縦横に複数個並列して箱等に詰められ、流通過程に置かれる。
この場合において、前記シート片３の横方向長さが容器本体１の正面視横方向長さと略一致するため、該シート片３が容器本体１の平面視外形から突出せず、流通過程において複数個を箱詰め等して搬送する際にシート片３が邪魔にならない。
【００２５】
そして、商品として店頭等に縦横に複数個並べて陳列され、一般消費者の目に触れる。特に、容器の正面側は最も消費者の目に触れやすい。
この場合においても、前記シート片３の横方向長さが容器本体１の正面視横方向長さと略一致するため、該シート片３が容器本体１の平面視外形から突出せず、隣接して陳列される商品等の邪魔にならない。
【００２６】
本実施形態の容器は、シート片３が、シュリンクラベル２に印刷された表示の主要部を隠さず且つ該シュリンクラベル２から突出し、しかも非掩覆後退部Ｂを正面視略覆うよう設けられているため、被収容物に関する説明や宣伝広告等を表示できる面積が大きく、宣伝効果に優れたものとなる。
【００２７】
また、シート片３の突出部Ａは容器本体１から離間しているため、目立ち、消費者の目を引くことができる。
【００２８】
更に、シート片３が肩部1bの先細り形状を略隠すため、容器が商品として店頭に陳列された場合に該容器が大きく見える結果、宣伝効果が増大する。
【００２９】
また、シュリンクラベル２は非接着性であり、且つシート片３は該シュリンクラベル２に接着され、しかも突出部Ａは非接着性で、容器本体１に接着しないため、容器本体１をリサイクルするに際し、前記シュリンクラベル２を切断するだけで、該シュリンクラベル２が容器本体１から離脱するとともに、前記シート片３も容器本体１から離脱する結果、容器本体１をシュリンクラベル２及びシート片３から容易に分離でき、リサイクルに適する。
【００３０】
＜他の実施の形態＞
なお、容器本体１の形状は限定されず、容器本体１全体が円柱状や角柱状に形成されてなるものも本発明の意図する範囲である。
【００３１】
また、前記第一実施形態では肩部1bを側部が直線状の先細り形状に構成したが、本発明において肩部1bの側部が直線状であることは必須の要件ではなく、側部が外側に湾曲してなるもの、内側に湾曲してなるもの、段部を有するものも採用可能である。
更に、肩部1bが、胴部1aよりも小さい外径を有する筒状に形成されることにより、胴部1aとの境目に段差を有して形成されてなるものであってもよい。
要は、肩部1bが奥行き方向に後退、すなわち正面視肩部1bの前面が、胴部1aの前面位置より奥行き側に位置するような構成であればよい。
【００３２】
また、本発明において、胴部1aの形状は特に限定されず、平面視円形状や楕円形状又は他の多角形状に形成されてなる構成であってもよい。
例えば、図３に示すように、胴部1aが平面視円形状に形成されてなる場合、表示部材としてのシート片３の横方向長さを長くすることにより、被収容物に関する表示面積が一層大きくなり、宣伝効果をより一層高めることができる。
このとき、シート片３の接着部3aは、図４（イ）に示すように、シート片３の下縁部に数カ所の膨出部を有する帯状として（クロスハッチングで示す）、あるいは、図４（ロ）に示すように、シート片３の下縁側の角位置に三角形状として（クロスハッチングで示す）形成されてなるのが好ましく、特に、胴部1aと肩部1bとの境目が明確でなく、曲面にシート片３を取り付ける場合には、図４（イ）（ロ）に示すようなパターンがより接着性が良好で、好ましい。
【００３３】
更に、非接着性ラベル２の種類は、前記第一実施形態のようなシュリンクラベルに限定されず、弾性伸縮性を有するストレッチフィルムより形成されたストレッチラベルであってもよい。要は、容器本体１に接着することなく装着することができる非接着性のラベルであればよい。
【００３４】
また、表示部材としてのシート片３が非接着性ラベルとしてのシュリンクラベル２より突出する態様は、前記第一実施形態の如く、シート片３が該シュリンクラベル２から外側にはみ出して突出する態様に限定されず、図５に示すように、一側縁部が接着部3a（クロスハッチングで示す）に形成されたシート片３が、該接着部3aにおいてシュリンクラベル２に接着され、該シート片３の非接着部3b（突出部Ａ）が該シュリンクラベル２の表面から立ち上がって突出するような態様あってもよい。
この場合、容器を店頭に陳列する際、シート片３が正面から見て左右方向に突出するよう陳列しても、手前側に突出するように陳列してもよい。
但し、シート片３がシュリンクラベル２から外側にはみ出して上方又は下方に突出する態様であれば、正面からシート片３の表示をみることができ、且つ隣接する商品の邪魔にならないため、より好ましい。
なお、シート片３の上方部を接着部3aに形成し、該接着部3aをシュリンクラベル２の下縁部に取り付けて該シート片３がシュリンクラベル２から下方側へ突出する態様も採用可能であるが、前記第一実施形態の如く、シート片３をシュリンクラベル２の上縁部に取り付けて、該シート片３が先細り形状の非掩覆後退部Ｂから離間するように設ければ、容器を店頭に陳列した際、消費者の目を引きやすいため、より好ましい。
【００３５】
また、表示部材としてのシート片３を非接着性ラベルとしてのシュリンクラベル２の外面に接着することは、本発明において必須の要件ではなく、シート片３の接着部3aを容器本体１とシュリンクラベル２の間に挟んで、シート片３をシュリンクラベル２の内面側に添着してもよい。
この場合においては、シート片３によってシュリンクラベル２の表示が隠されることはない。
なお、シート片３を、接着剤を介して取り付けるか否かは問わない。
この実施形態によれば、容器本体１のリサイクルに際し、シュリンクラベル２を容器本体１から離脱させると、容器本体１とシュリンクラベル２との挟持力が解除され、挟持されていたシート片３も容器本体１から離脱するか、あるいは、シュリンクラベル２に接着されている場合には、該シュリンクラベル２に接着されたまま容器本体１から離脱する。
なお、この実施形態のように、シュリンクラベル２の内側にシート片３を取り付ける場合、内面側にシート片３が取り付けられたシュリンクラベル２を容器本体１に装着するか、または、シュリンクラベル２を装着する際にシート片３を容器本体１との間に挟んで取り付ける。
但し、前記第一実施形態の如く、シュリンクラベル２の外面に接着する構成にすれば、装着が容易であるため、好ましい。
【００３６】
更に、前記第一実施形態では、表示部材としてのシート片３が基材フィルム９の裏面全体に均一に接着剤を塗布し、その一部を非接着性塗膜11の塗布によって非接着部3bとしたものであったが、接着部3aにのみ粘着剤を塗布してなる構成であってもよい。
但し、前記第一実施形態によれば、基材フィルム９の裏面全面に粘着剤を塗布すればよく、且つ粘着剤層10の表面に非接着性塗膜11を印刷等するだけで非接着部3bを形成できるため、接着部3aを容易に形成できる結果、シート片３が安価で製造でき、しかも接着部3aを任意の形状に形成できるため、好ましい。
【００３７】
また、表示部材としてのシート片３の突出部Ａが、容器本体１に剥離可能に仮着されていてもよい。但し、その接着力は、少なくともリサイクルに際してシュリンクラベル２を除去するときに、別途剥離工程を経ずとも容器本体１から剥離する程度の弱い接着力であることが好ましい。
【００３８】
更に、本発明において、表示部材としてのシート片３の接着方法は、前記第一実施形態に限定されず、接着部3aを非接着性ラベル２に剥離再接着可能に接着すれば、景品の応募券としても使用することができる。
【００３９】
また、接着部3aと非接着部3bとの境目もしくは非接着部3bにミシン目等の切断線を設けて、非接着部3bの一部を切離できるように構成してもよい。この実施形態によれば、表示部材３としてのシート片の一部（当該切離部分）を景品等の応募券として利用することができる。
【００４０】
更に、本発明において、表示部材３が平面的なシート片であることは必須の要件ではなく、湾曲面や屈曲部分を有するものであってもよい。この実施形態は斬新で、より一層消費者の目を引くことができる。
【００４１】
また、前記第一実施形態では、表示部材としてのシート片３を容器本体１の正面側に設けたが、図６に示すように、シート片３を容器本体１の背面側に設けてもよい。
この実施形態では、シート片３の突出部Ａのうち少なくとも正面視容器本体１の外形から突出する部分に宣伝広告等が表示されてなる。
【００４２】
【発明の効果】
以上のように、本発明の容器は、非接着性ラベルから突出して接着されたシート片を具備するため、宣伝広告や商標等を表示できる部分の面積が大きく、消費者の目を引く結果、宣伝効果に優れたものとなる。しかも、該シート片は、容器本体から非接着性ラベルが離脱した際、該非接着性ラベルとともに容器本体から離脱するため、容器をリサイクルに供するに際し、容器本体から非接着性ラベルとシート片とを容易に分離でき、リサイクルに適した容器である。
【００４３】
また、シート片が非接着性ラベルの外面に接着されてなるため、容易に製造することができ、しかも該シート片が非接着性ラベルから離脱するおそれが極めて少なく、安心して流通過程に置くことができる。
【００４４】
また、シート片が、容器本体の非掩覆後退部を正面視覆い且つ容器本体から離間して略鉛直方向に起立して設けられてなるため、斬新であり、容器を商品として店頭に陳列した場合、従来の容器よりも目立ち、より一層消費者の目を引く結果、宣伝力が向上する。
【図面の簡単な説明】
【図１】本発明の一実施形態を示す斜視図。
【図２】（イ）は同実施形態の表示部材（シート片）の裏面図で、（ロ）は同、断面図を示す。
【図３】本発明の他実施形態を示す斜視図。
【図４】（イ）及び（ロ）は、同実施形態の表示部材（シート片）の一例の裏面図を示す。
【図５】本発明の他実施形態を示す斜視図。
【図６】本発明の他実施形態を示す正面図。
【図７】従来の容器の一例を示す斜視図。
【符号の説明】
１─容器本体
２─非接着性ラベル（シュリンクラベル）
３─表示部材（シート片）
Ａ─突出部
Ｂ─非掩覆後退部
【図１】
0003816659.tif 000002
【図２】
0003816659.tif 000003
【図３】
0003816659.tif 000004
【図４】
0003816659.tif 000005
【図５】
0003816659.tif 000006
【図６】
0003816659.tif 000007
【図７】
0003816659.tif 000008